(57)【要約】【課題】ユーザ機器を通信接続させる際のユーザの利便性を向上させることができる、通信制御装置、通信制御方法、及び制御プログラムを提供する。【解決手段】通信制御装置１１において接続アシスト部１１Ｂは、受付部１１Ａによって「通信接続手順の開始操作」を示す操作信号が受け付けられた場合、「接続アシスト処理」において、ユーザに対して操作部１２への確認操作を促すメッセージをユーザ機器３０の表示部に表示させる「第１表示制御信号」をユーザ機器３０へ無線送信する制御を実行する。さらに、接続アシスト部１１Ｂは、「接続アシスト処理」において、第１表示制御信号が送信された後に受付部１１Ａによって「確認操作」を示す操作信号が受け付けられた場合、通信接続を確立させるためのパスワードをユーザ機器３０の表示部に表示させるための「第２表示制御信号」をユーザ機器３０へ無線送信する制御を実行する。【選択図】図２
2019071551.tif 000002
【特許請求の範囲】
【請求項１】
通信装置に搭載されて、ユーザ機器による前記通信装置への通信接続を制御する通信制御装置であって、
ユーザによる前記通信装置の操作部への操作に応じた操作信号を受け付ける受付部と、
前記受付部によって通信接続手順の開始操作を示す操作信号が受け付けられた場合、前記ユーザに対して前記操作部への確認操作を促すメッセージを前記ユーザ機器の表示部に表示させる第１表示制御信号を前記ユーザ機器へ送信し、前記第１表示制御信号が送信された後に前記受付部によって前記確認操作を示す操作信号が受け付けられた場合、前記通信接続を確立させるためのパスワードを前記表示部に表示させるための第２表示制御信号、又は、前記通信装置のプロファイル情報をインストールするための表示を前記表示部に表示させるための第３表示制御信号を前記ユーザ機器へ送信する、接続アシスト処理を実行する接続アシスト部と、
を具備する通信制御装置。
【請求項２】
前記通信装置の存在を知らせるためのビーコン信号を送信するビーコン送信部と、
前記受付部によって通信接続手順の開始操作を示す操作信号が受け付けられた場合、前記ビーコン信号の送信を前記ビーコン送信部に開始させて、前記ビーコン信号を受信して前記通信装置へアクセスしてきたアクセスユーザ機器への前記接続アシスト処理を前記接続アシスト部に開始させる、接続制御部と、
をさらに具備する、請求項１記載の通信制御装置。
【請求項３】
前記接続制御部は、前記ビーコン信号を受信して前記通信装置へＮ（Ｎは２以上の自然数）番目より前にアクセスしてきた各アクセスユーザ機器への前記接続アシスト処理を前記接続アシスト部に開始させる一方、Ｎ番目以降にアクセスしてきたアクセスユーザ機器への前記接続アシスト処理を前記接続アシスト部に回避させる、
請求項２記載の通信制御装置。
【請求項４】
前記アクセスユーザ機器と前記通信装置との間の距離を算出する距離算出部をさらに具備し、
前記接続制御部は、前記算出された距離が所定値以下である前記アクセスユーザ機器への前記接続アシスト処理を前記接続アシスト部に開始させる一方、前記算出された距離が前記所定値より大きい前記アクセスユーザ機器への前記接続アシスト処理を前記接続アシスト部に回避させる、
請求項２記載の通信制御装置。
【請求項５】
通信装置に搭載されて、ユーザ機器による前記通信装置への通信接続を制御する通信制御装置によって実行される通信制御方法であって、
前記通信制御装置の受付部が、ユーザによる前記通信装置の操作部への操作に応じた操作信号を受け付け、
前記通信制御装置の接続アシスト部が、前記受付部によって通信接続手順の開始操作を示す操作信号が受け付けられた場合、前記ユーザに対して前記操作部への確認操作を促すメッセージを前記ユーザ機器の表示部に表示させる第１表示制御信号を前記ユーザ機器へ送信し、前記第１表示制御信号が送信された後に前記受付部によって前記確認操作を示す操作信号が受け付けられた場合、前記通信接続を確立させるためのパスワードを前記表示部に表示させるための第２表示制御信号、又は、前記通信装置のプロファイル情報をインストールするための表示を前記表示部に表示させるための第３表示制御信号を前記ユーザ機器へ送信する、接続アシスト処理を実行する、
通信制御方法。
【請求項６】
通信装置に搭載されて、ユーザ機器による前記通信装置への通信接続を制御する通信制御装置に、
ユーザによる前記通信装置の操作部への操作に応じた操作信号を受け付け、
通信接続手順の開始操作を示す前記操作信号が受け付けられた場合、前記ユーザに対して前記操作部への確認操作を促すメッセージを前記ユーザ機器の表示部に表示させる第１表示制御信号を前記ユーザ機器へ送信し、前記第１表示制御信号が送信された後に前記確認操作を示す前記操作信号が受け付けられた場合、前記通信接続を確立させるためのパスワードを前記表示部に表示させるための第２表示制御信号、又は、前記通信装置のプロファイル情報をインストールするための表示を前記表示部に表示させるための第３表示制御信号を前記ユーザ機器へ送信する、
処理を実行させる、制御プログラム。
【発明の詳細な説明】
【技術分野】
【０００１】
本発明は、通信制御装置、通信制御方法、及び制御プログラムに関する。
【背景技術】
【０００２】
従来、無線ＬＡＮ端末であるユーザ機器が無線アクセスポイントや無線ルータに無線接続する際には、ユーザがユーザ機器を用いてＳＳＩＤ（Service Set Identifier）を選択してパスワードを入力する処理が求められることがある。
【０００３】
このような処理は、通信技術を詳しく知らないユーザにとって煩雑でわかり難く、また、慣れたユーザであっても、記号等を含むパスワードを入力することは手間になっていた。
【０００４】
これに対して、無線接続の際のユーザの手間を省くための技術として、ＷＰＳ（Wi-Fi Protected Setup）がある（例えば、特許文献１）。
【先行技術文献】
【特許文献】
【０００５】
【特許文献１】国際公開第２０１３／１４６５６５号
【発明の概要】
【発明が解決しようとする課題】
【０００６】
しかしながら、ｉＰｈｏｎｅ（登録商標）や旧型のＷｉ−Ｆｉ（登録商標）機器の中にはＷＰＳに対応していないものもあり、ユーザ機器を通信接続させる際のユーザの利便性が損なわれている可能性がある。
【０００７】
本発明の目的は、ユーザ機器を通信接続させる際のユーザの利便性を向上させることができる、通信制御装置、通信制御方法、及び制御プログラムを提供することにある。
【課題を解決するための手段】
【０００８】
本発明の第１の態様にかかる通信制御装置は、通信装置に搭載されて、ユーザ機器による前記通信装置への通信接続を制御する通信制御装置であって、ユーザによる前記通信装置の操作部への操作に応じた操作信号を受け付ける受付部と、前記受付部によって通信接続手順の開始操作を示す操作信号が受け付けられた場合、前記ユーザに対して前記操作部への確認操作を促すメッセージを前記ユーザ機器の表示部に表示させる第１表示制御信号を前記ユーザ機器へ送信し、前記第１表示制御信号が送信された後に前記受付部によって前記確認操作を示す操作信号が受け付けられた場合、前記通信接続を確立させるためのパスワードを前記表示部に表示させるための第２表示制御信号、又は、前記通信装置のプロファイル情報をインストールするための表示を前記表示部に表示させるための第３表示制御信号を前記ユーザ機器へ送信する、接続アシスト処理を実行する接続アシスト部と、を具備する。
【０００９】
本発明の第２の態様にかかる通信制御方法は、通信装置に搭載されて、ユーザ機器による前記通信装置への通信接続を制御する通信制御装置によって実行される通信制御方法であって、前記通信制御装置の受付部が、ユーザによる前記通信装置の操作部への操作に応じた操作信号を受け付け、前記通信制御装置の接続アシスト部が、前記受付部によって通信接続手順の開始操作を示す操作信号が受け付けられた場合、前記ユーザに対して前記操作部への確認操作を促すメッセージを前記ユーザ機器の表示部に表示させる第１表示制御信号を前記ユーザ機器へ送信し、前記第１表示制御信号が送信された後に前記受付部によって前記確認操作を示す操作信号が受け付けられた場合、前記通信接続を確立させるためのパスワードを前記表示部に表示させるための第２表示制御信号、又は、前記通信装置のプロファイル情報をインストールするための表示を前記表示部に表示させるための第３表示制御信号を前記ユーザ機器へ送信する、接続アシスト処理を実行する。
【００１０】
本発明の第３の態様にかかる制御プログラムは、通信装置に搭載されて、ユーザ機器による前記通信装置への通信接続を制御する通信制御装置に、ユーザによる前記通信装置の操作部への操作に応じた操作信号を受け付け、通信接続手順の開始操作を示す前記操作信号が受け付けられた場合、前記ユーザに対して前記操作部への確認操作を促すメッセージを前記ユーザ機器の表示部に表示させる第１表示制御信号を前記ユーザ機器へ送信し、前記第１表示制御信号が送信された後に前記確認操作を示す前記操作信号が受け付けられた場合、前記通信接続を確立させるためのパスワードを前記表示部に表示させるための第２表示制御信号、又は、前記通信装置のプロファイル情報をインストールするための表示を前記表示部に表示させるための第３表示制御信号を前記ユーザ機器へ送信する、処理を実行させる。
【発明の効果】
【００１１】
本発明により、ユーザ機器を通信接続させる際のユーザの利便性を向上させることができる、通信制御装置、通信制御方法、及び制御プログラムを提供することができる。
【図面の簡単な説明】
【００１２】
【図１】第１実施形態の通信システムの一例を示す図である。
【図２】第１実施形態の通信制御装置を含む通信装置の一例を示すブロック図である。
【図３】第１実施形態のユーザ機器の一例を示すブロック図である。
【図４】第１実施形態の通信制御装置の処理動作の一例を示すフローチャートである。
【図５】第２実施形態の通信制御装置を含む通信装置の一例を示すブロック図である。
【図６】第２実施形態の通信制御装置の処理動作の一例を示すフローチャートである。
【図７】第３実施形態の通信制御装置を含む通信装置の一例を示すブロック図である。
【図８】第３実施形態の通信制御装置の処理動作の一例を示すフローチャートである。
【図９】通信制御装置のハードウェア構成例を示す図である。
【発明を実施するための形態】
【００１３】
以下、図面を参照しつつ、実施形態について説明する。なお、実施形態において、同一又は同等の要素には、同一の符号を付し、重複する説明は省略される。
【００１４】
＜第１実施形態＞
＜通信システムの概要＞
図１は、第１実施形態の通信システムの一例を示す図である。図１において、通信システム１は、通信装置１０と、ユーザ機器３０とを含んでいる。例えば、通信装置１０は、無線アクセスポイント又は無線ルータ等の中継装置であり、ユーザ機器３０は、スマートフォンであってもよい。ここでは、通信装置１０のユーザとユーザ機器３０のユーザとは共通していることを想定している。また、ユーザ機器３０は、ＷＰＳ（Wi-Fi Protected Setup）に対応していない機器を想定している。
【００１５】
ユーザ機器３０は、通信装置１０に対してアクセスし、通信装置１０との間で「通信接続手順」を実行する。そして、通信接続手順においてユーザ機器３０は、ＳＳＩＤ等のＩＤ及びパスワードの入力を通信装置１０から要求され、該要求に応じたＩＤ及びパスワードを通信装置１０へ送信する。これにより、ユーザ機器３０と通信装置１０との間の通信接続が確立されて、その後、ユーザ機器３０は、通信装置１０を介してインターネット等に接続することができる。
【００１６】
＜通信制御装置の構成例＞
図２は、第１実施形態の通信制御装置を含む通信装置の一例を示すブロック図である。図２において、通信装置１０は、通信制御部（通信制御装置）１１と、操作部１２と、無線送信部１３と、無線受信部１４とを有している。
【００１７】
操作部１２は、通信装置１０のユーザが行った操作に応じた操作信号を通信制御部１１へ出力する。操作部１２は、例えば、操作ボタンである。
【００１８】
無線送信部１３は、通信制御部１１から受け取る信号に対して送信無線処理（ディジタルアナログ変換、アップコンバート等）を行って、得られた無線信号をアンテナを介して無線送信する。
【００１９】
無線受信部１４は、アンテナを介して受信した無線信号に対して受信無線処理（ダウンコンバート、アナログディジタル変換等）を行って、得られた受信信号を通信制御部１１へ出力する。
【００２０】
通信制御部（通信制御装置）１１は、ユーザ機器３０による通信装置１０への通信接続を制御する。通信制御部１１は、受付部１１Ａと、接続アシスト部（Ｗｅｂサーバ）１１Ｂとを有している。
【００２１】
受付部１１Ａは、ユーザによる通信装置１０の操作部１２への操作に応じた操作信号を受け付ける。
【００２２】
接続アシスト部１１Ｂは、「接続アシスト処理」を実行する処理部である。例えば、接続アシスト処理において接続アシスト部１１Ｂは、受付部１１Ａによって「通信接続手順の開始操作」を示す操作信号が受け付けられた場合、ユーザに対して操作部１２への確認操作を促すメッセージをユーザ機器３０の表示部に表示させる「第１表示制御信号」をユーザ機器３０へ無線送信する制御を実行する。
【００２３】
また、接続アシスト処理において接続アシスト部１１Ｂは、第１表示制御信号が送信された後に受付部１１Ａによって「確認操作」を示す操作信号が受け付けられた場合、通信接続を確立させるためのパスワードをユーザ機器３０の表示部に表示させるための「第２表示制御信号」をユーザ機器３０へ無線送信する制御を実行する。
【００２４】
＜ユーザ機器の構成例＞
図３は、第１実施形態のユーザ機器の一例を示すブロック図である。図３においてユーザ機器３０は、無線受信部３１と、制御部３２と、表示部３３と、操作部３４と、無線送信部３５とを有している。
【００２５】
無線受信部３１は、アンテナを介して受信した無線信号に対して受信無線処理（ダウンコンバート、アナログディジタル変換等）を行って、得られた受信信号を制御部３２へ出力する。
【００２６】
無線送信部３５は、制御部３２から受け取る信号に対して送信無線処理（ディジタルアナログ変換、アップコンバート等）を行って、得られた無線信号をアンテナを介して無線送信する。
【００２７】
表示部３３は、制御部３２から受け取った表示制御信号に応じた表示を表示する。
【００２８】
操作部３４は、ユーザ機器３０のユーザが行った操作に応じた操作信号を制御部３２へ出力する。操作部１２は、例えば、操作ボタンやタッチパネル等である。
【００２９】
制御部３２は、通信装置１０から送信された上記の第１表示制御信号を無線受信部３１から受け取ると、該第１表示制御信号を表示部３３へ出力することにより、ユーザに対して操作部１２への確認操作を促すメッセージを表示部３３に表示させる。このメッセージは、例えば、「親機（通信装置１０）の操作ボタンを押して下さい」という内容のテキスト表示であってもよい。ここで、このメッセージをユーザ機器３０の表示部３３に表示させて通信装置１０の操作部１２への確認操作が行われた場合、ユーザがユーザ機器３０を手に取った状態で同じユーザが通信装置１０の操作部１２への確認操作を行ったと見なすことができる。すなわち、このメッセージをユーザ機器３０の表示部３３に表示させて通信装置１０の操作部１２への確認操作をユーザに対して要求することによって、他のユーザ機器又は不正に取得したユーザ機器３０を使って不正に通信装置１０との間で通信接続しようとするユーザを排除することができる。
【００３０】
また、制御部３２は、通信装置１０から送信された上記の第２表示制御信号を無線受信部３１から受け取ると、該第２表示制御信号を表示部３３へ出力することにより、通信接続を確立させるためのパスワードをユーザ機器３０の表示部３３に表示させるため表示を表示部３３に表示させる。この表示は、例えば、パスワードを取得するためのリンクを示す表示である。この表示は、例えば、「パスワードを表示する」という表示内容で且つリンク先にリンク付けされた表示であってもよい。そして、操作部３４からユーザの操作によってこのリンクが選択されたことを示す操作信号を受け取ると、制御部３２は、このリンク先に接続してパスワード情報を取得し、取得したパスワード情報を表示部３３へ表示させる。ユーザは、上記の通信接続手順においてユーザ機器３０上でパスワードの入力を要求された場合、表示部３３に表示されたパスワードをコピーアンドペーストすることにより、簡単な操作でパスワードを入力することができる。また、制御部３２は、取得したパスワード情報を表示部３３へ表示させる際に、選択された状態で表示させるようにしてもよい。これにより、パスワードをコピーする操作がより簡素化されるので、ユーザの利便性をさらに向上させることができる。
【００３１】
＜通信システムの動作例＞
以上の構成を有する通信システム１の処理動作の一例について説明する。ここでは、特に、通信装置１０の通信制御部（通信制御装置）１１の処理動作を中心に説明する。図４は、第１実施形態の通信制御装置の処理動作の一例を示すフローチャートである。
【００３２】
通信制御部１１の接続アシスト部１１Ｂは、「通信接続手順の開始操作」を示す操作信号を受け取るまで待つ（ステップＳ１０１ＮＯ）。
【００３３】
接続アシスト部１１Ｂは、「通信接続手順の開始操作」を示す操作信号を受付部１１Ａから受け取ると（ステップＳ１０１ＹＥＳ）、「第１表示制御信号」をユーザ機器３０へ無線送信する制御を実行する（ステップＳ１０２）。「第１表示制御信号」は、上記の通り、ユーザに対して操作部１２への確認操作を促すメッセージをユーザ機器３０の表示部３３に表示させるための制御信号である。
【００３４】
接続アシスト部１１Ｂは、「確認操作」を示す操作信号を受け取るまで待ち（ステップＳ１０３ＮＯ）、「確認操作」を示す操作信号を受付部１１Ａから受け取ると（ステップＳ１０３ＹＥＳ）、「第２表示制御信号」をユーザ機器３０へ無線送信する制御を実行する（ステップＳ１０４）。「第２表示制御信号」は、上記の通り、通信接続を確立させるためのパスワードをユーザ機器３０の表示部３３に表示させるための制御信号である。
【００３５】
ここで、上記の通り、ユーザ機器３０において制御部３２は、通信装置１０から送信された上記の第１表示制御信号を無線受信部３１から受け取ると、該第１表示制御信号を表示部３３へ出力することにより、ユーザに対して操作部１２への確認操作を促すメッセージを表示部３３に表示させる。これにより、このメッセージをユーザ機器３０の表示部３３に表示させて通信装置１０の操作部１２への確認操作をユーザに対して要求することができるので、他のユーザ機器又は不正に取得したユーザ機器３０を使って不正に通信装置１０との間で通信接続しようとするユーザを排除することができる。
【００３６】
また、上記の通り、ユーザ機器３０において制御部３２は、通信装置１０から送信された上記の第２表示制御装置を無線受信部３１から受け取ると、該第２表示制御信号を表示部３３へ出力することにより、通信接続を確立させるためのパスワードをユーザ機器３０の表示部３３に表示させるため表示を表示部３３に表示させる。これにより、ユーザは、上記の通信接続手順においてユーザ機器３０上でパスワードの入力を要求された場合、表示部３３に表示されたパスワードをコピーアンドペーストすることにより、簡単な操作でパスワードを入力することができる。
【００３７】
以上のように第１実施形態によれば、通信装置１０の通信制御部１１において接続アシスト部１１Ｂは、受付部１１Ａによって「通信接続手順の開始操作」を示す操作信号が受け付けられた場合、「接続アシスト処理」において、ユーザに対して操作部１２への確認操作を促すメッセージをユーザ機器３０の表示部に表示させる「第１表示制御信号」をユーザ機器３０へ無線送信する制御を実行する。さらに、接続アシスト部１１Ｂは、「接続アシスト処理」において、第１表示制御信号が送信された後に受付部１１Ａによって「確認操作」を示す操作信号が受け付けられた場合、通信接続を確立させるためのパスワードをユーザ機器３０の表示部に表示させるための「第２表示制御信号」をユーザ機器３０へ無線送信する制御を実行する。
【００３８】
この通信制御部（通信制御装置）１１の構成により、他のユーザ機器又は不正に取得したユーザ機器３０を使って不正に通信装置１０との間で通信接続しようとするユーザを排除することができると共に、ユーザによるパスワード入力操作を簡素化してユーザの利便性を向上させることができる。
【００３９】
＜変形例＞
以上の説明では、接続アシスト部１１Ｂは、「接続アシスト処理」において、第１表示制御信号が送信された後に受付部１１Ａによって「確認操作」を示す操作信号が受け付けられた場合、通信接続を確立させるためのパスワードをユーザ機器３０の表示部に表示させるための「第２表示制御信号」をユーザ機器３０へ無線送信する制御を実行するものとして説明したが、これに限定されるものではない。
【００４０】
例えば、接続アシスト部１１Ｂは、「第２表示制御信号」の代わりに、通信装置１０のプロファイル情報をインストールするための表示をユーザ機器３０の表示部３３に表示させるための「第３表示制御信号」をユーザ機器３０へ送信する制御を実行してもよい。
【００４１】
この場合、ユーザ機器３０の制御部３２は、通信装置１０から送信された上記の第３表示制御信号を無線受信部３１から受け取ると、該第３表示制御信号を表示部３３へ出力することにより、通信装置１０のプロファイル情報をインストールするための表示を表示部３３に表示させる。この表示は、例えば、「プロファイルを入手する」という表示内容で且つリンク先にリンク付けされた表示であってもよい。そして、操作部３４からユーザの操作によってこのリンクが選択されたことを示す操作信号を受け取ると、制御部３２は、このリンク先に接続して通信装置１０のプロファイル情報をインストールする。これにより、ユーザによるパスワード入力操作をさらに簡素化してユーザの利便性を向上させることができる。
【００４２】
＜第２実施形態＞
第２実施形態は、より具体的な実施形態に関する。第２実施形態の通信システムの基本構成は、第１実施形態の通信システム１と同じなので、図１を参照して説明する。第２実施形態では、通信システムに正当なユーザ機器の他に不正なユーザ機器が存在する可能性があることを考慮している。
【００４３】
＜通信制御装置の構成例＞
図５は、第２実施形態の通信制御装置を含む通信装置の一例を示すブロック図である。図５において通信装置５０は、通信制御部（通信制御装置）５１を有する。通信制御部（通信制御装置）５１は、受付部１１Ａ及び接続アシスト部１１Ｂに加えて、接続制御部５１Ａとビーコン送信部５１Ｂとをさらに有する。
【００４４】
ビーコン送信部５１Ｂは、通信装置５０の周辺に位置するユーザ機器に対して通信装置５０の存在を知らせるためのビーコン信号を生成して送信する機能部である。
【００４５】
接続制御部５１Ａは、受付部１１Ａによって通信接続手順の開始操作を示す操作信号が受け付けられた場合、ビーコン信号の送信をビーコン送信部５１Ｂに開始させる。このビーコン信号をビーコン送信部５１Ｂに送信させる際には、接続制御部５１Ａは、設定を「暗号無し」に変更する。すなわち、接続制御部５１Ａは、「暗号無し」のＳＳＩＤでビーコン信号を送信させる。
【００４６】
そして、接続制御部５１Ａは、ビーコン信号を受信したユーザ機器３０からのアクセス信号を無線受信部１４を介して受け取ると、通信装置１０へ最初にアクセスしてきたアクセスユーザ機器３０に対してＩＰアドレスを払い出すと共に、そのアクセスユーザ機器３０への接続アシスト処理を接続アシスト部１１Ｂに開始させる。なお、アクセスユーザ機器３０への接続アシスト処理を接続アシスト部１１Ｂに開始させるタイミングは、ビーコン信号を受信したユーザ機器３０からのアクセス信号を受け取ったタイミングではなく、アクセスユーザ機器３０からいずれかのＵＲＬにアクセスするためのアクセス信号を受け取ったタイミングであってもよい。
【００４７】
一方、接続制御部５１Ａは、２番目以降にアクセスしてきた他のアクセスユーザ機器への接続アシスト処理を接続アシスト部１１Ｂに回避させる。これは、２番目以降にアクセスしてきた他のアクセスユーザ機器によるアクセスが不正に通信装置１０との間で通信接続しようとするユーザによる可能性が高いと考えられるためである。すなわち、アクセスしてきた順番を正当又は不正な通信接続の判定基準として用いることができる。これにより、他のユーザ機器を使って不正に通信装置１０との間で通信接続しようとするユーザを排除することができる。
【００４８】
＜通信制御装置の動作例＞
以上の構成を有する通信制御装置（通信制御部）５１の処理動作の一例について説明する。図６は、第２実施形態の通信制御装置の処理動作の一例を示すフローチャートである。
【００４９】
通信制御部５１の接続制御部５１Ａは、「通信接続手順の開始操作」を示す操作信号を受け取るまで待つ（ステップＳ２０１ＮＯ）。
【００５０】
受付部１１Ａによって通信接続手順の開始操作を示す操作信号が受け付けられた場合（ステップＳ２０１ＹＥＳ）、接続制御部５１Ａは、ビーコン信号の送信をビーコン送信部５１Ｂに開始させる（ステップＳ２０２）。
【００５１】
そして、接続制御部５１Ａは、ビーコン信号を受信したユーザ機器からのアクセス信号を受け取るまで待つ（ステップＳ２０２ＮＯ）。
【００５２】
アクセス信号を受け取ると（ステップＳ２０２ＹＥＳ）、接続制御部５１Ａは、アクセス信号を送信してきたアクセスユーザ機器が複数存在するか否かを判定する（ステップＳ２０４）。
【００５３】
アクセス信号を送信してきたアクセスユーザ機器が１つである場合（ステップＳ２０４ＮＯ）、接続制御部５１Ａは、第１表示制御信号を接続アシスト部１１Ｂに送信させる（ステップＳ２０５）。すなわち、アクセス信号を送信してきたアクセスユーザ機器が１つである場合（ステップＳ２０４ＮＯ）、接続制御部５１Ａは、１つのアクセスユーザ機器への接続アシスト処理を接続アシスト部１１Ｂに開始させる。ステップＳ２０５からステップＳ２０７の処理は、第１実施形態で説明したステップＳ１０２からステップＳ１０４の処理と同じである。
【００５４】
一方、アクセス信号を送信してきたアクセスユーザ機器が複数存在する場合（ステップＳ２０４ＹＥＳ）、接続制御部５１Ａは、１番目のアクセスユーザ機器へ第１表示制御信号を接続アシスト部１１Ｂに送信させる（ステップＳ２０８）。さらに、接続制御部５１Ａは、２番目以降のアクセスユーザ機器への接続アシスト処理を接続アシスト部１１Ｂに回避させる（ステップＳ２０８）。
【００５５】
そして、接続制御部５１Ａは、１番目のアクセスユーザ機器について、ステップＳ２０６及びステップＳ２０７の処理を実行する。
【００５６】
以上のように第２実施形態によれば、通信制御装置（通信制御部）５１において接続制御部５１Ａは、ビーコン信号を受信して通信装置５０へ最初にアクセスしてきたアクセスユーザ機器への接続アシスト処理を接続アシスト部１１Ｂに開始させる一方、２番目以降にアクセスしてきたアクセスユーザ機器への接続アシスト処理を接続アシスト部１１Ｂに回避させる。
【００５７】
この通信制御装置（通信制御部）５１の構成により、ユーザ機器を使って不正に通信装置５０との間で通信接続しようとするユーザを排除することができる。
【００５８】
＜第３実施形態＞
第３実施形態では、正当又は不正な通信接続の判定基準として通信装置とユーザ機器との距離を用いる。第３実施形態の通信システムの基本構成は、第１実施形態の通信システム１と同じなので、図１を参照して説明する。第３実施形態では、通信システムに正当なユーザ機器の他に不正なユーザ機器が存在する可能性があることを考慮している。
【００５９】
＜通信制御装置の構成例＞
図７は、第３実施形態の通信制御装置を含む通信装置の一例を示すブロック図である。図７において通信装置７０は、通信制御部（通信制御装置）７１を有する。通信制御部（通信制御装置）７１は、受付部１１Ａ、接続アシスト部１１Ｂ、及びビーコン送信部５１Ｂに加えて、接続制御部７１Ａと、距離算出部７１Ｂとを有している。
【００６０】
距離算出部７１Ｂは、通信装置７０と各アクセスユーザ機器との間の距離を算出する。この距離の算出には、従来技術であるIndoor Location技術を用いることができる。Indoor Locationでは、FTM（Fine Timing Measurement）プロトコルを用いて、通信装置７０とアクセスユーザ機器との間の距離を正確に求めることができる。
【００６１】
接続制御部７１Ａは、ビーコン信号を受信したアクセスユーザ機器からのアクセス信号を無線受信部１４を介して受け取ると、通信装置１０へ最初にアクセスしてきたアクセスユーザ機器と通信装置７０との距離が「所定値」以下であるか否かを判定する。そして、接続制御部７１Ａは、該距離が「所定値」以下であれば、その最初にアクセスしてきたアクセスユーザ機器に対してＩＰアドレスを払い出すと共に、そのアクセスユーザ機器への接続アシスト処理を接続アシスト部１１Ｂに開始させる。これに対して、接続制御部７１Ａは、該距離が所定値より大きければ、最初にアクセスしてきたアクセスユーザ機器であっても、該アクセスユーザ機器への接続アシスト処理を接続アシスト部１１Ｂに回避させる。これは、このアクセスユーザ機器によるアクセスが不正に通信装置１０との間で通信接続しようとするユーザによる可能性が高いと考えられるためである。すなわち、通信装置とユーザ機器との距離を正当又は不正な通信接続の判定基準として用いることができる。これにより、ユーザ機器を使って不正に通信装置１０との間で通信接続しようとするユーザを排除することができる。
【００６２】
また、接続制御部７１Ａは、第２実施形態の接続制御部５１Ａと同様に、２番目以降にアクセスしてきた他のアクセスユーザ機器への接続アシスト処理を接続アシスト部１１Ｂに回避させる。
【００６３】
＜通信制御装置の動作例＞
以上の構成を有する通信制御装置（通信制御部）７１の処理動作の一例について説明する。図８は、第３実施形態の通信制御装置の処理動作の一例を示すフローチャートである。
【００６４】
ステップＳ３０１からステップＳ３０４の処理は、第２実施形態のステップＳ２０１からステップＳ２０４の処理と同じである。
【００６５】
アクセス信号を送信してきたアクセスユーザ機器が複数存在する場合（ステップＳ３０４ＹＥＳ）、接続制御部７１Ａは、２番目以降のアクセスユーザ機器への接続アシスト処理を接続アシスト部１１Ｂに回避させる（ステップＳ３０９）。そして、処理ステップは、ステップＳ３０５へ進む。
【００６６】
アクセス信号を送信してきたアクセスユーザ機器が１つである場合（ステップＳ３０４ＮＯ）、接続制御部７１Ａは、距離算出部７１Ｂによって算出されたそのアクセスユーザ機器と通信装置７０との距離が所定値以下であるか否かを判定する（ステップＳ３０５）。なお、ステップＳ３０９からステップＳ３０５へ処理が進んできた場合には、接続制御部７１Ａは、最初にアクセスしてきたアクセスユーザ機器と通信装置７０との距離が所定値以下であるか否かを判定することになる。
【００６７】
アクセスユーザ機器と通信装置７０との距離が所定値以下である場合（ステップＳ３０５ＹＥＳ）、接続制御部７１Ａは、第１表示制御信号を接続アシスト部１１Ｂに送信させる（ステップＳ３０６）。すなわち、接続制御部７１Ａは、アクセスユーザ機器と通信装置７０との距離が所定値以下である場合（ステップＳ３０５ＹＥＳ）、そのアクセスユーザ機器への接続アシスト処理を接続アシスト部１１Ｂに開始させる。ステップＳ３０６からステップＳ３０８の処理は、第１実施形態で説明したステップＳ１０２からステップＳ１０４の処理と同じである。
【００６８】
一方、アクセスユーザ機器と通信装置７０との距離が所定値より大きい場合（ステップＳ３０５ＮＯ）、接続制御部７１Ａは、そのアクセスユーザ機器への接続アシスト処理を接続アシスト部１１Ｂに回避させる（ステップＳ３１０）。
【００６９】
以上のように第３実施形態によれば、通信制御装置（通信制御部）７１において接続制御部７１Ａは、距離算出部７１Ｂによって算出された距離が所定値以下であるアクセスユーザ機器への接続アシスト処理を接続アシスト部１１Ｂに開始させる一方、距離算出部７１Ｂによって算出された距離が所定値より大きいアクセスユーザ機器への接続アシスト処理を接続アシスト部１１Ｂに回避させる。
【００７０】
この通信制御装置（通信制御部）７１の構成により、ユーザ機器を使って不正に通信装置１０との間で通信接続しようとするユーザを排除することができる。
【００７１】
＜他の実施形態＞
〈１〉第２実施形態及び第３実施形態では、通信制御装置（通信制御部）５１，７１において接続制御部５１Ａ，７１Ａが、ビーコン信号を受信して通信装置５０へ２番目以降にアクセスしてきたアクセスユーザ機器への接続アシスト処理を接続アシスト部１１Ｂに回避させるものとして説明を行ったが、これに限定されない。例えば、通信制御装置（通信制御部）５１，７１において接続制御部５１Ａ，７１Ａが、ビーコン信号を受信して通信装置５０へＮ（Ｎ≧３）番目以降にアクセスしてきたアクセスユーザ機器への接続アシスト処理を接続アシスト部１１Ｂに回避させてもよい。
【００７２】
この場合、例えば、第２実施形態の通信制御装置（通信制御部）５１の接続制御部５１Ａは、アクセス信号を受け取ると（ステップＳ２０２ＹＥＳ）、アクセス信号を送信してきたアクセスユーザ機器がＮ個以上存在するか否かを判定する（ステップＳ２０４）。
【００７３】
そして、アクセス信号を送信してきたアクセスユーザ機器がＮ個より少ない場合（ステップＳ２０４ＮＯ）、接続制御部５１Ａは、第１表示制御信号を接続アシスト部１１Ｂに送信させる（ステップＳ２０５）。
【００７４】
アクセス信号を送信してきたアクセスユーザ機器がＮ個以上存在する場合（ステップＳ２０４ＹＥＳ）、接続制御部５１Ａは、Ｎ番目より前のアクセスユーザ機器へ第１表示制御信号を接続アシスト部１１Ｂに送信させる（ステップＳ２０８）。さらに、接続制御部５１Ａは、Ｎ番目以降のアクセスユーザ機器への接続アシスト処理を接続アシスト部１１Ｂに回避させる（ステップＳ２０８）。
【００７５】
また、例えば、第３実施形態の通信制御部（通信制御装置）７１の接続制御部７１Ａは、アクセス信号を受け取ると（ステップＳ３０３ＹＥＳ）、アクセス信号を送信してきたアクセスユーザ機器がＮ個以上存在するか否かを判定する（ステップＳ３０４）。
【００７６】
アクセス信号を送信してきたアクセスユーザ機器がＮ個以上存在する場合（ステップＳ３０４ＹＥＳ）、接続制御部７１Ａは、Ｎ番目以降のアクセスユーザ機器への接続アシスト処理を接続アシスト部１１Ｂに回避させる（ステップＳ３０９）。そして、処理ステップは、ステップＳ３０５へ進む。
【００７７】
アクセス信号を送信してきたアクセスユーザ機器がＮ個より少ない場合（ステップＳ３０４ＮＯ）、接続制御部７１Ａは、距離算出部７１Ｂによって算出された各アクセスユーザ機器と通信装置７０との距離が所定値以下であるか否かを判定する（ステップＳ３０５）。
【００７８】
そして、接続制御部７１Ａは、通信装置７０との距離が所定値以下である各アクセスユーザ機器に対して第１表示制御信号を接続アシスト部１１Ｂに送信させる（ステップＳ３０６）。接続制御部７１Ａは、通信装置７０との距離が所定値より大きい各アクセスユーザ機器への接続アシスト処理を接続アシスト部１１Ｂに回避させる（ステップＳ３１０）。
【００７９】
〈２〉図９は、通信制御装置のハードウェア構成例を示す図である。図９において、通信制御装置１００は、プロセッサ１０１と、メモリ１０２とを有している。第１実施形態から第３実施形態で説明した通信制御装置１１，５１，７１は、それぞれ、通信制御装置１００と同じ構成を有している。通信制御装置１１，５１，７１の受付部１１Ａ、接続アシスト部１１Ｂ、接続制御部５１Ａ，７１Ａ、ビーコン送信部５１Ｂ、及び、距離算出部７１Ｂは、プロセッサ１０１がメモリ１０２に記憶されたプログラムを読み込んで実行することにより実現される。
【００８０】
なお、本発明は上記の実施形態に限られたものではなく、趣旨を逸脱しない範囲で適宜変更することが可能である。
【符号の説明】
【００８１】
１  通信システム
１０，５０，７０  通信装置
１１，５１，７１  通信制御部（通信制御装置）
１１Ａ  受付部
１１Ｂ  接続アシスト部
１２  操作部
１３  無線送信部
１４  無線受信部
３０  ユーザ機器
３１  無線受信部
３２  制御部
３３  表示部
３４  操作部
３５  無線送信部
５１  通信制御部
５１Ａ，７１Ａ  接続制御部
５１Ｂ  ビーコン送信部
７１Ｂ  距離算出部
【図１】
2019071551.tif 000003
【図２】
2019071551.tif 000004
【図３】
2019071551.tif 000005
【図４】
2019071551.tif 000006
【図５】
2019071551.tif 000007
【図６】
2019071551.tif 000008
【図７】
2019071551.tif 000009
【図８】
2019071551.tif 000010
【図９】
2019071551.tif 000011